(57)【要約】【課題】  家庭の普段の生活の中で健康状態が把握できるようにして、健康管理が容易にできるようにすることを目的とする。【解決手段】  トイレ装置本体と、トイレ装置本体が使用される際の使用者の健康状態を検査する検査手段と、検査手段による検査内容を報知する報知手段とを備えてなることを特徴とするトイレ装置。【選択図】  図１
2005330791.tif 000002
【特許請求の範囲】
【請求項１】
トイレ装置本体と、
前記トイレ装置本体が使用される際の使用者の健康状態を検査する検査手段と、
前記検査手段による検査内容を報知する報知手段と、
を備えてなることを特徴とするトイレ装置。
【発明の詳細な説明】
【技術分野】
【０００１】  この発明はトイレ装置に関する。
【背景技術】
【０００２】  社会が高齢化する中では、とくに健康で元気に生きるということが重要となる。したがって、その健康状態を維持するためには定期的に健康診断等を受けることとなるが、高齢者にはそのために通院することに非常に手間がかかり、また、費用の負担も大きくなる。
【発明の開示】
【発明が解決しようとする課題】
【０００３】  この発明では、家庭の普段の生活の中で健康状態が把握できるようにして、健康管理が容易にできるようにすることを目的とする。
【課題を解決するための手段】
【０００４】  この発明では、トイレ装置本体と、前記トイレ装置本体が使用される際の使用者の健康状態を検査する検査手段と、前記検査手段による検査内容を報知する報知手段とを備えてなることを特徴とするトイレ装置を提供する。【０００５】  上記構成によれば、トイレ装置本体が使用される際に検査手段により健康状態の検査が行なわれ、その検査内容が報知手段により知ることができる。検査手段としてはトイレ使用に際して可能な全ての方法が適宜採用される。報知手段としては画面や音声表示等の方法が適宜採用される。
【発明の効果】
【０００６】  この発明によれば、トイレ使用に伴って自分の健康状態がある程度把握できるようになり、これにより通院等の手間がかかることなく、また、コストも安くして高齢者等の健康管理が容易にできるようになる。
【発明を実施するための最良の形態】
【０００７】  図１はこの発明のトイレ装置の構成図である。トイレ装置１の便器２下部の水溜め部３内には便器２の側位置外方に配置される攪拌モータ４により作動される攪拌翼６が配置され、その水溜め部３側面には血液、糖分、蛋白質のそれぞれの成分を検出可能な検出器８それぞれが設けられている。これら検出器８は対応する検出試薬が水溜め部３内に投入された際に、水溜め部３において攪拌される弁や尿における血液、糖分、蛋白質それぞれの成分の存在によって発生する化学変化やその発生物質等を従来より知られる適宜手法により検知して検出を行なうものである。【０００８】  １０は検出試薬投入機であり便器２の後部に設けられ、ホンプ作動により血液、糖分、蛋白質のそれぞれの成分検出のための試薬をノズル１１より便器２内に吐出する。１２はフラッシュを一体とするカメラであり便器２前部に設けられ、トイレ装置１の使用者の性器及びその近傍部分の撮影を行なうように設けられている。１４は体温計、１５は脈拍計であり、便座１７のトイレ装置１の使用時の使用者の体への接触位置に配置されている。３０は排水タンク、３１は便器蓋である。【０００９】  図２はトイレ装置１の電気的な接続構成を示すブロック図である。２０はマイクロコンピュータよりなる制御部であり、この制御部２０に上記した攪拌モータ４、検出器８、試薬投入機１０、カメラ１２、体温計１４、脈拍計１５それそれが接続されるとともに、さらに排水モータ２４、後に説明する各種操作スイッチよりなる操作部２５、表示部２７が接続されており、この制御部２０はこのトイレ装置１が使用される家庭のパーソナルコンピュータ１００に接続されている。【００１０】  図３は上記操作部２５、表示部２７が設けられた操作パネル体２６の上面を示し、操作部２５には各種操作スイッチが配置されている。２５０は排水スイッチ、２５１ａ〜２５１ｅのそれぞれは使用者特定スイッチ、２５２は撮影スイッチ、２５５ａ〜２５５ｃは試薬スイッチ、２５６は表示スイッチ、２５７のそれぞれは３桁の暗証番号を入力する暗証番号スイッチであり、これら各種スイッチは検査動作、さらには検査データの表示を見る際に後に説明するように適宜押圧使用する。操作パネル体２６は便器２の一方側の前部に立設され、トイレ装置１を使用する者が各種スイッチを操作でき、かつ、表示部２７を見ることができるようになっている。【００１１】  以下、上記トイレ装置１の使用に際しての動作を、図４のフローチァートを参照して説明する。まず、使用者は便座１７上に座った際、性器部分等の撮影を所望する際には上記操作部２５において使用者自身を特定するために、例えば使用者特定スイッチ２５１ａを押すとともに、撮影スイッチ２５２を押す。これによりフラッシュがたかれて性器部分等の撮影が行なわれ、その撮像が制御部２０に記憶されるとともに体温計１４、脈拍計１５での検出動作が開始される（ステップ１〜６）。次に使用後にその使用内容に対応して試薬スイッチ２５５ａ〜２５５ｃを押すことで攪拌モータ４が作動されて水溜め部３内における攪拌がなされるとともに試薬投入機１０が作動されて試薬がその水溜め部３内に滴下投入される（ステップ７〜９）。【００１２】  上記において、例えば、排尿時において糖分の成分を検査したい場合は試薬スイッチ２５５ａを、蛋白質の成分を検査したい場合は試薬スイッチ２５５ｃを押す。また、例えば、排便時もしくは排尿時に血液成分を検査したい場合は試薬スイッチ２５５ｂを押す。複数の試薬スイッチ２５５ａ〜２５５ｃを押すことで複数の検査を同時に行なうことはできない。そして、水溜め部３における尿、便へ試薬が混合攪拌されたものにおいて所定時間後に検出動作を行なってそのデータを記憶するとともに、さらに、体温計１４、脈拍計１５での検出動作に伴うそれぞれのデータが記憶され、その後排水スイッチ２５０の操作入力により排水モータ２４が作動されて尿、便が排出され、さらに、血液、糖分、蛋白質、体温、脈拍のデータにおいては使用者毎の経時データを作製、記憶して動作を終了する（ステップ１０〜１４）。【００１３】  上記動作において、使用者に検査の意志が無くて使用に際してスイッチ入力が全くなく、使用後に排水スイッチ２５０が押された場合は上記検査動作は行なわれない。【００１４】  図５はデータ表示動作を示すフローチァートであり、使用者が健康状態の表示を見る場合には、使用者に対応する暗証番号スイッチ２５７を押した後、表示スイッチ２５６を押す毎にその使用者の血液、糖分、蛋白質、体温、脈拍、性器（撮像）データそれぞれが表示部２７に切り替え表示される（ステップ１〜３）。血液、糖分、蛋白質、体温、脈拍のデータはグラフ等の経時データで表示され、性器データは最新の撮像が登録される正常時の撮像と並設される状態で表示される。表示は所定時間後に終了する（ステップ６〜７）。表示状態において暗証番号スイッチ２５７を押すことでその使用者の記憶される表示用データが全て消去される（ステップ４〜５）。【００１５】  上記のようにして表示を見ることで、試薬検査による糖尿病、大腸ガン、腎臓病の予知が行なえ、とくにそれらの経時データを見ることで健康状態の把握が容易に行なわれる。また、性器の撮像データを見ることで性病や妊娠等の予知が可能となる。表示データは暗証番号の入力操作により本人のみが見ることができ、これによりその秘密性が確保されている。なお、データは接続されるパーソナルコンピュータ１００の表示部で見ることも可能である。
【図面の簡単な説明】
【図１】  この発明のトイレ装置の実施形態の構成図
【図２】  この発明のトイレ装置の実施形態の電気的接続構成を示すブロック図
【図３】  この発明のトイレ装置の実施形態の操作パネル体の平面構成図
【図４】  この発明のトイレ装置の実施形態の検査動作説明のためのフローチァート
【図５】  この発明のトイレ装置の実施形態の表示動作説明のためのフローチァート
【符号の説明】
１  トイレ装置
４  攪拌モータ（検査手段）
８  検出器（検査手段）
１０  試薬投入機（検査手段）
１２  カメラ（検査手段）
１４  体温計（検査手段）
１５  脈拍計（検査手段）
２０  制御部
２７  表示部（報知手段）
【図１】
2005330791.tif 000003
【図２】
2005330791.tif 000004
【図３】
2005330791.tif 000005
【図４】
2005330791.tif 000006
【図５】
2005330791.tif 000007